(57)【要約】      （修正有）【課題】首掛け用の紐体を首に掛けた後に、その長さ調節を胸元ですることを可能にする装身具を提供する。【解決手段】装身具１０１は、首掛け用の紐体１と、連結具５と、装飾品３と、を有している。紐体１は、一部に結び目９が形成され、結び目９を境にした一方部分が、環状部１７を成すように結び目９に戻っており、さらに結び目９に摩擦をもって摺動可能なように挿通されている。連結具５は、紐体１の両端に取り付けられ、これら両端を着脱自在に連結する。装飾品３は、例えば蝶ネクタイであり、結び目９に取り付けられている。下方の環状部１７には、その長さ調節に使用可能な下げ具７が吊り下げられている。【選択図】図１
0003203435.tif 000002
【実用新案登録請求の範囲】
【請求項１】
一部に結び目を有し、当該結び目を境にした一方部分が、環状を成すように当該結び目に戻っており、さらに当該結び目に摩擦をもって摺動可能なように挿通されている首掛け用の紐体と、
前記紐体の両端に取り付けられ、当該両端を着脱自在に連結する連結具と、
前記結び目に取り付けられた装飾品と、
を備える装身具。
【請求項２】
前記連結具は、一対の磁石を有し、前記紐体の両端を磁力により着脱自在に連結する、請求項１に記載の装身具。
【請求項３】
前記紐体のうち、前記結び目を境にした前記一方部分が、前記結び目に戻ることにより形成されている環状を成す部分が挿通された下げ具を、さらに備える、請求項１又は２に記載の装身具。
【考案の詳細な説明】
【技術分野】
【０００１】
本考案は、装身具に関し、特に、首に掛けて使用する装身具に関する。
【背景技術】
【０００２】
従来、この種の装身具として、特許文献１に開示されるものが知られている。この装身具は、首に掛ける環状の帯状体に、リボン状ネクタイが取り付けられたものである。帯状体には長さ調節のための移動カンが設けられ、さらに、環状の帯状体を中途で切り離し可能に連結する係止具が設けられている。使用者は、環状の帯状体を、頭から被ることなく係止具を外した状態で首に回し、その後に係止具を止めることにより、帯状体を環状にして首に掛けることが可能となっている。また、移動カンにより帯状体の長さが調節可能となっている。
【０００３】
しかし、特許文献１に開示される装身具は、移動カンが環状の帯状体の一部に配置されているため、環状の帯状体を首に掛けたときには、移動カンが首回りの部位に位置することとなる。従って、環状の帯状体を首に掛けた後に、移動カンを操作して長さ調節をすることは容易ではなく、あらかじめ適切な長さを想定して、移動カンを位置決めした後に、首に掛ける方が現実的である、という問題点があった。また、係止具が雌雄の対からなるスナップ式であるため、首回りに位置する雌雄の係止具を正確に位置合わせして係止することが容易ではない、という問題点があった。
【先行技術文献】
【特許文献】
【０００４】
【特許文献１】実開平７−３１８２１
【考案の概要】
【考案が解決しようとする課題】
【０００５】
本考案は上記の問題点に鑑みてなされたもので、首掛け用の紐体を首に掛けた後に、その長さ調節を胸元ですることを可能にした装身具を提供することを目的とする。本考案は、さらに、首掛け用の紐体の切り離し及び連結を容易にした装身具を提供することを目的とする。
【課題を解決するための手段】
【０００６】
上記課題を解決し上記目的を達成するために、本考案のうち第１の態様によるものは、装身具であって、首掛け用の紐体と、連結具と、装飾品と、を備えている。前記紐体は、一部に結び目を有し、当該結び目を境にした一方部分が、環状を成すように当該結び目に戻っており、さらに当該結び目に摩擦をもって摺動可能なように挿通されている。前記連結具は、前記紐体の両端に取り付けられ、当該両端を着脱自在に連結するものである。前記装飾品は、前記結び目に取り付けられている。
【０００７】
この構成によれば、結び目から両端に至る紐体の部分を首に回し、連結具により両端を連結することにより、装身具を首に掛けることができる。このとき紐体は、結び目で交差することにより、「８」字状をなすように２つの環状部を有することとなる。その後、装飾品が胸元に位置する状態で、胸元で操作することにより、結び目を滑らせて首回りにある紐体の長さを調節することができる。それにより、装飾品の上下の位置を調節することができる。
【０００８】
本考案のうち第２の態様によるものは、第１の態様による装身具であって、前記連結具は、一対の磁石を有し、前記紐体の両端を磁力により着脱自在に連結するものである。
【０００９】
この構成によれば、一対の磁石は磁力により吸い寄せられるので、連結時に正確な位置合わせを要しない。また、一対の磁石は、ある近距離範囲に互いに近づけるだけで、吸着するので、連結時の操作が簡単である。また、一対の磁石を互いに引き離すことにより、紐体の両端を容易に切り離すことができる。
【００１０】
本考案のうち第３の態様によるものは、第１又は第２の態様による装身具であって、前記紐体のうち、前記結び目を境にした前記一方部分が、前記結び目に戻ることにより形成されている環状を成す部分が挿通された下げ具を、さらに備えている。
【００１１】
この構成によれば、下げ具が挿通された紐体の環状を成す部分が収縮して、結び目と一体になった状態にあるときに、下げ具を結び目から遠ざけるように引くことにより、環状を成す部分を容易に拡張させることができる。
【考案の効果】
【００１２】
以上のように本考案によれば、首掛け用の紐体を首に掛けた後に、その長さ調節を胸元ですることを可能にした装身具が得られる。さらに、首掛け用の紐体の切り離し及び連結を容易にした装身具が得られる。
【図面の簡単な説明】
【００１３】
【図１】本考案の一実施の形態による装身具の構成を示す正面図である。
【考案を実施するための形態】
【００１４】
図１は、本考案の一実施の形態による装身具の構成を示す正面図である。この装身具１０１は、紐体１、装飾品３、連結具５及び下げ具７を有している。紐体１は、中途において結び目９が形成されている。この結び目９を境にした紐体１の一方部分が、結び目９を通っており、紐体１の両端は連結具５により、着脱自在に連結される。連結具５により両端が連結されると、図１に例示するように、紐体１は結び目９で交差する「８」字状をなす。紐体１は、例えば化学繊維をロープ状に編んだものである。
【００１５】
結び目９には、装飾品３が取り付けられている。図１の例では、装飾品３は蝶ネクタイであるが、襟元あるいは胸元を飾る他の形態の装飾品であってもよい。図１に例示する装飾品３は、例えば布製であり、結び目９に縫い付けられている。
【００１６】
結び目９は適度に固く結ばれており、そのため、結び目９を通過する紐体１は、結び目９に対して摩擦力をもって摺動可能となっている。すなわち、結び目９を通る紐体１に、ある程度の力を加えて矢印１１の方向に引き上げると（あるいは逆に、紐体１に対して結び目９を引き下げると）、紐体１は結び目９を滑って上方に移動する。それにより、結び目９より上方、すなわち連結具５を有する方の環状部１５が大きくなり、結び目９より下方の環状部１７が小さくなる。また、結び目９を通る紐体１に、ある程度の力を加えて矢印１３の方向に引き下げると（あるいは逆に、紐体１に対して結び目９を引き上げると）、紐体１は結び目９を滑って下方に移動する。それにより、結び目９より上方の環状部１５が小さくなり、結び目９より下方の環状部１７が大きくなる。
【００１７】
下方の環状部１７には、下げ具７が吊り下げられている。下げ具７は、環状部１９を有しており、この環状部１９に紐体１が遊挿されている。下げ具７は、結び目９を通過する紐体１を十分に引き上げることにより、下方の環状部１７が極小となって結び目９に密着しているときに、紐体１を引き下げて下方の環状部１７を大きくするときに使用される。すなわち、下げ具７を引き下げることにより、容易に紐体１を引き下げて、環状部１７を拡張することができる。下げ具７は、装身具１０１の一部であり、好ましくは装飾性を加味したデザインのものが選ばれる。図１の例では、下げ具７はメダルであるが、単なるリング状のもの、その他様々な形態を採り得る。
【００１８】
連結具５は、一対の磁石を有しており、磁石同士の磁力により互いに吸着する。使用者は、磁石同士を近づけるだけで、連結具５を連結状態にすることができ、引き離すことにより、連結を解除することができる。一対の磁石は、例えばネオジム磁石である。連結具５そのものは、女性用下着（ブラジャー）にも使用されており、周知の器具であるので、その構造についての詳細な説明は略する。
【００１９】
装身具１０１を使用するには、上方の環状部１５を、使用者の首周りに対して十分な長さに調節し、連結具５を外した状態で首に回し、その後、連結具５を連結させる。このとき、装飾品３は、襟元にあるべき蝶ネクタイの本来の位置よりも下方に垂れている。使用者は、結び目９を通る紐体１を矢印１３の方向に引き下げることにより（あるいは逆に、紐体１に対して結び目９を引き上げることにより）、今や首周りにある上方の環状部１５を、短くするように絞ることができる。それにより、装飾品３の位置を引き上げ、襟元に正しく装着することができる。また、結び目９を引き下げることにより、首周りにある上方の環状部１５を緩めることができる。装身具１０１を外すときには、連結具５の一対の磁石を引き離すことにより、簡単に外すことができる。このように、装身具１０１は、使用者が胸元で上方の環状部１５の長さを調節することを可能にするとともに、連結具５を容易に着脱することを可能にする。
【符号の説明】
【００２０】
１  紐体
３  装飾品
５  連結具
７  下げ具
９  結び目
１１，１３  矢印
１５，１７  環状部
１９  環状部
１０１  装身具
【図１】
0003203435.tif 000003